(57)【要約】【課題】光源用回路基板の検査時におけるピンの押し込み量を厳しく管理するまでも無くピンの不用意な押し込みを防止すること。【解決手段】光源用回路基板が取り付けられる治具本体部と、光源ユニットが内視鏡本体に装着された際に、光源用回路基板に実装された光源点灯用のスイッチ素子の被押し部材を押し当てて該スイッチ素子をオンさせる該内視鏡本体側のピンに対応するスイッチ押し部材であって、治具本体部に取り付けられた光源用回路基板に対する可動範囲がスイッチ素子本体に到達する手前で規制されるように、該光源用回路基板の端面に受けられる受け面を有するスイッチ押し部材から内視鏡光源用検査治具を構成する。【選択図】図４
2010279617.tif 000002
【特許請求の範囲】
【請求項１】
携帯型内視鏡ユニットを構成する光源ユニットに搭載される光源用回路基板の動作チェックをするための内視鏡光源用検査治具において、
前記光源用回路基板が取り付けられる治具本体部と、
前記光源ユニットが内視鏡本体に装着された際に、前記光源用回路基板に実装された光源点灯用のスイッチ素子の被押し部材を押し当てて該スイッチ素子をオンさせる該内視鏡本体側のピンに対応するスイッチ押し部材と、
を有し、
前記スイッチ押し部材は、前記治具本体部に取り付けられた光源用回路基板に対する可動範囲が前記スイッチ素子本体に到達する手前で規制されるように、該光源用回路基板の端面に受けられる受け面を有することを特徴とする内視鏡光源用検査治具。
【請求項２】
前記スイッチ押し部材は、
前記受け面を有する受け部と、
前記受け部から所定量突出された、前記被押し部材を押し当てる凸部と、
を有することを特徴とする、請求項１に記載の内視鏡光源用検査治具。
【請求項３】
前記スイッチ素子は、前記被押し部材が前記光源用回路基板の回路実装面に平行な面内で傾倒自在に実装されており、
前記スイッチ押し部材は、前記被押し部材を押し当てて傾倒させるように、前記面内を直進自在に前記治具本体部に支持されていることを特徴とする、請求項１又は請求項２の何れか一項に記載の内視鏡光源用検査治具。
【請求項４】
前記面内を直進して前記被押し部材を押し当てる前記凸部を逃げる逃げ形状であって、前記凸部が前記スイッチ素子本体に到達する手前で前記受け部が前記端面の一部に受けられるように逃げ量が設定された逃げ形状が該端面に形成されていることを特徴とする、請求項２を引用する請求項３に記載の内視鏡光源用検査治具。
【請求項５】
前記スイッチ素子は、スイッチレバーを有するプッシュスイッチであり、該スイッチレバーの支点が前記スイッチ押し部材から離れるように、該スイッチ素子の中心軸が該スイッチ押し部材の中心軸から所定量シフトされて配置されていることを特徴とする、請求項１から請求項４の何れか一項に記載の内視鏡光源用検査治具。
【請求項６】
前記スイッチ押し部材を動かして前記被押し部材に押し当てるための作業レバーと、
前記作業レバーと前記被押し部材とを連結した連結軸と、
を更に有し、
前記連結軸は、前記スイッチ押し部材が前記端面に受けられたときの衝撃を吸収する衝撃吸収機構を有することを特徴とする、請求項１から請求項５の何れか一項に記載の内視鏡光源用検査治具。
【発明の詳細な説明】
【技術分野】
【０００１】
この発明は、携帯型内視鏡ユニットを構成する光源ユニットに搭載される光源用回路基板の動作チェックをするための内視鏡光源用検査治具に関する。
【背景技術】
【０００２】
医師が患者の体腔内を観察するときに使用する医療機器として、内視鏡が一般的に知られている。内視鏡を使用する医師は、体腔内を観察するため、可撓性を有する内視鏡の挿入部を体腔内に挿入して、挿入部の先端に備えられた先端部を観察対象近傍に導く。内視鏡には、用途に応じて種々のタイプが製造され販売されている。一例として、鼻咽喉観察用の小型軽量な携帯型内視鏡ユニットが挙げられる。携帯型内視鏡ユニットの具体的構成例は、特許文献１〜３等に記載されている。
【０００３】
携帯型内視鏡ユニットは、特許文献１〜３に示されるように、内視鏡本体と、該内視鏡本体に着脱自在な光源ユニットで構成される。光源ユニットの電源には、例えば電池が採用されている。光源を点灯させるためのメインスイッチは、光源ユニット本体に設けられている。光源ユニットの光源用回路基板には、メインスイッチとは別に、光源と電源との間の信号経路上に所定のプッシュスイッチが実装されている。プッシュスイッチは、内視鏡本体を光源ユニットに装着した際に、内視鏡本体側から突出されたピンに押されてオンする。すなわち、特許文献１〜３に記載の携帯型内視鏡ユニットは、メインスイッチのオン／オフ状態に拘わらず、光源ユニットが内視鏡本体から取り外された状態では光源が点灯しないように省電力化に配慮した設計がされている。
【先行技術文献】
【特許文献】
【０００４】
【特許文献１】特開２００８−４３６６６号公報
【特許文献２】特開２００８−１４９０４１号公報
【特許文献３】特開２００８−１４９０４９号公報
【発明の概要】
【発明が解決しようとする課題】
【０００５】
光源用回路基板に実装されるプッシュスイッチには、光源ユニット内部の部品実装スペースが限られることから、小型軽量タイプが採用される。そのため、プッシュスイッチをオンするために必要なピンの押し込み量は、スイッチを確実にオンさせるのに足る量でありつつも、プッシュスイッチ本体に対するピンの機械的干渉が生じない適切な量に精密に規定される必要がある。従って、携帯型内視鏡ユニットは、プッシュスイッチ周辺の部品公差や組立時の累積公差の抑制といった製造技術面により、ピンの押し込み量が厳しく管理されなければならない。この種の押し込み量の管理は、実際上、光源ユニットの製品組立工程では行われている。しかし、光源用回路基板の検査工程等の作業性が優先される工程では、コスト面や作業負担面等から、ピンの押し込み量を厳しく管理することは現実的とはいえない。
【０００６】
本発明は上記の事情に鑑みてなされたものであり、その目的とするところは、光源用回路基板の検査時におけるピンの押し込み量を厳しく管理するまでも無くピンの不用意な押し込みを防止することができる光源用回路基板用検査治具を提供することである。
【課題を解決するための手段】
【０００７】
上記の課題を解決する本発明の一形態に係る内視鏡光源用検査治具は、携帯型内視鏡ユニットを構成する光源ユニットに搭載される光源用回路基板の動作チェックをするための治具であり、以下の特徴を有している。すなわち、本発明に係る内視鏡光源用検査治具は、光源用回路基板が取り付けられる治具本体部と、光源ユニットが内視鏡本体に装着された際に、光源用回路基板に実装された光源点灯用のスイッチ素子の被押し部材を押し当てて該スイッチ素子をオンさせる該内視鏡本体側のピンに対応するスイッチ押し部材を有している。
【０００８】
スイッチ押し部材は、例えば作業者が内視鏡光源用検査治具を勢いよく操作したり過度の力を入れて取り扱ったりした場合に懸念されるスイッチ素子本体との機械的に干渉を防止すべく、治具本体部に取り付けられた光源用回路基板に対する可動範囲がスイッチ素子本体に到達する手前で規制されるように、該光源用回路基板の端面に受けられる受け面を有している。すなわち、本発明に係る内視鏡光源用検査治具によれば、スイッチ押し部材の押し込み量を厳しく管理すること無く、スイッチ押し部材の不用意な押し込みによるスイッチ素子や回路基板の破壊が有効に避けられることとなる。
【０００９】
スイッチ押し部材は、受け面を有する受け部と、該受け部から所定量突出された、被押し部材を押し当てる凸部を有する構成としてもよい。
【００１０】
スイッチ素子は、例えば被押し部材が光源用回路基板の回路実装面に平行な面内で傾倒自在に実装されている。この場合、スイッチ押し部材は、被押し部材を押し当てて傾倒させるように、面内を直進自在に治具本体部に支持されている。
【００１１】
光源用回路基板の端面には、例えば面内を直進して被押し部材を押し当てる凸部を逃げる逃げ形状であって、凸部がスイッチ素子本体に到達する手前で受け部が端面の一部に受けられるように逃げ量が設定された逃げ形状が形成されている。
【００１２】
スイッチ素子は、例えばスイッチレバーを有するプッシュスイッチであり、該スイッチレバーの支点がスイッチ押し部材から離れるように、該スイッチ素子の中心軸が該スイッチ押し部材の中心軸から所定量シフトされて配置されてもよい。
【００１３】
本発明に係る内視鏡光源用検査治具は、スイッチ押し部材を動かして被押し部材に押し当てるための作業レバーと、該作業レバーと被押し部材とを連結した連結軸を更に有した構成としてもよい。かかる連結軸は、スイッチ押し部材が端面に受けられたときの衝撃を吸収する衝撃吸収機構を有する構成としてもよい。
【発明の効果】
【００１４】
このように、本発明に係る内視鏡光源用検査治具によれば、スイッチ押し部材の押し込み量を厳しく管理すること無く、スイッチ押し部材の不用意な押し込みによるスイッチ素子や回路基板の破壊が有効に避けられることとなる。
【図面の簡単な説明】
【００１５】
【図１】本発明の実施形態の光源用回路基板用検査治具の概略構成に示す上面図である。
【図２】本発明の実施形態の検査治具本体の概略構成を示す側面図である。
【図３】本発明の実施形態の光源用回路基板用検査治具の回路構成を示す図である。
【図４】本発明の実施形態の検査治具本体が有するスイッチ押し部材とプッシュスイッチ周辺の光源用回路基板の模式的構成を拡大して示す図である。
【図５】本発明の実施形態の検査治具本体が有するシャフトの構成を模式的に示す図である。
【発明を実施するための形態】
【００１６】
以下、図面を参照して、本発明の実施形態の光源用回路基板用検査治具について説明する。
【００１７】
図１は、本実施形態の光源用回路基板用検査治具１の概略構成に示す上面図である。本実施形態の光源用回路基板用検査治具１は、例えば鼻咽喉観察用の小型軽量な携帯型内視鏡ユニットを構成する光源ユニットの内部に取り付けられる光源用回路基板５０の作動チェックをするための専用治具である。図１に示されるように、光源用回路基板用検査治具１は、検査治具本体１０及び電圧供給電源２０を有している。図２は、検査治具本体１０の概略構成を示す側面図である。図１、図２は共に、検査対象である光源用回路基板５０を検査治具本体１０に取り付けた状態を示している。
【００１８】
光源用回路基板５０には、スイッチレバー５２を有する小型かつ薄型な復帰式プッシュスイッチＳＷ１が半田付けされている。プッシュスイッチＳＷ１には、例えばオムロン社のサーフェスマウントスイッチ（形Ｄ３ＳＨ）が採用される。プッシュスイッチＳＷ１は、バネ等の付勢手段（不図示）によって所定の初期位置に付勢されたスイッチレバー５２を有している。プッシュスイッチＳＷ１は、スイッチレバー５２が光源用回路基板５０の回路実装面に平行な面内で傾倒する向きで実装されており、スイッチレバー５２が外力によって所定角度以上倒されている間に限りオンされる。光源用回路基板５０には所定の回路が実装されており、プッシュスイッチＳＷ１がオンされている間に限り、光源ユニットの光源を点灯させるように設計されている。
【００１９】
図２に示されるように、検査治具本体１０は、台座１０２を有している。台座１０２の四隅には支柱１０４が設けられている。支柱１０４の上端面には、治具本体基板１０６がネジ止めにより固定されている。治具本体基板１０６上には、四本のバネ支柱１０８を介して回路基板載置台１１０が支持されている。
【００２０】
回路基板載置台１１０上には、位置決めピン１１２が複数本設けられている。光源用回路基板５０は、回路基板載置台１１０に載置されたとき、位置決めピン１１２によって位置が決められる。
【００２１】
検査治具本体１０は、複数本のプローブピン１１４ａ、１１４ｂ（ここでは二本ずつ）を有している。プローブピン１１４ａ、１１４ｂは、治具本体基板１０６及び回路基板載置台１１０を貫通すると共に、上端部（接触端子）が回路基板載置台１１０から所定量突出する位置に設けられている。複数本のうち二本（プローブピン１１４ａ）は、下端部が信号ケーブル１１６と接続されており、信号ケーブル１１６を介して検査用のダミー白色ＬＥＤ（Light Emitting Diode）１と接続されている。残りの二本（プローブピン１１４ｂ）は、下端部が信号ケーブル１１８と接続されており、信号ケーブル１１８、連動パワースイッチＳＷ２を介して電圧供給電源２０と接続されている。
【００２２】
光源用回路基板５０の裏面（回路基板載置台１１０に対向する面）には、ランド（不図示）が複数の形成されている。各ランドは、光源用回路基板５０が位置決めピン１１２によって位置決めされた際に、対応する何れか一本のプローブピン１１４ａ又は１１４ｂの接触端子と接触する。製品ベースでは、光源ユニットの光源の各端子が各プローブピン１１４ａに対応するランドに半田付けされる。
【００２３】
例えば作業ミスが生じた場合（光源用回路基板５０が回路基板載置台１１０に誤った向きで又は不正確な位置に載置された場合等）、意図しない電圧が電圧供給電源２０から光源用回路基板５０の実装回路に印加されて、該回路を破壊する虞がある。本実施形態の光源用回路基板用検査治具１においては、この種の不具合を避けるため、フールプルーフを考慮した設計がされている。具体的には、電圧供給電源２０と光源用回路基板５０との電気的接続は、初期的には、連動パワースイッチＳＷ２によって切断されている。そのため、光源用回路基板５０を回路基板載置台１１０に載置しただけでは、電圧供給電源２０から光源用回路基板５０の実装回路に電圧が印加されることはない。従って、上記の作業ミスに起因する光源用回路基板５０の実装回路の破壊が有効に避けられる。
【００２４】
治具本体基板１０６上には、基板押さえ部材１２４を先端に備えた第一クランプレバー１２６が設けられている。基板押さえ部材１２４と第一クランプレバー１２６は、アーム１２８により連結されている。第一クランプレバー１２６は、初期的には、図２中二点鎖線で示される位置に倒されている。
【００２５】
光源用回路基板５０が回路基板載置台１１０に載置されて第一クランプレバー１２６が矢印Ａ方向に起こされると、基板押さえ部材１２４の下面が光源用回路基板５０の表面の部品未実装領域に押し当てられる。なお、基板押さえ部材１２４には、光源用回路基板５０の表面に実装されている電子部品等を逃げる逃げ形状が形成されている。
【００２６】
第一クランプレバー１２６が矢印Ａ方向に更に起こされると、基板押さえ部材１２４の下面が光源用回路基板５０を図２中下方向に均一な圧力で押すと共に、第一クランプレバー１２６が図２中実線で示される位置でロック機構（不図示）によりロックされる。このときバネ支柱１０８のバネ部材は、基板押さえ部材１２４による押圧力によって縮められる。そのため、回路基板載置台１１０は、光源用回路基板５０ごと図２中下方向に沈み込む。光源用回路基板５０は、基板押さえ部材１２４による図２中下方向の押圧力と、バネ支柱１０８のバネ部材による図２中上方向の付勢力により、基板押さえ部材１２４と回路基板載置台１１０との間に挟まれて、検査治具本体１０に固定される。
【００２７】
プローブピン１１４ａ及び１１４ｂの接触端子も、基板押さえ部材１２４による図２中下方向の押圧力によって押し下げられる。プローブピン１１４ａ、１１４ｂはそれぞれ、接触端子が押し下げられたときにピン内部の接点が接触して、該接触端子と下端部（信号ケーブル１１６、１１８との接続端）とが導通するように構成されている。
【００２８】
連動パワースイッチＳＷ２は、例えばプッシュスイッチＳＷ１と基本的な構造が同様（形態は違う）のプッシュスイッチであり、スイッチレバー１２２を有している。連動パワースイッチＳＷ２は、スイッチレバー１２２が外力によって所定角度以上倒されている間に限り、オンするように構成されている。スイッチレバー１２２は、初期的には、バネ等の付勢手段（不図示）により、図２中二点鎖線で示される位置に付勢されている。スイッチレバー１２２は、第一クランプレバー１２６が矢印Ａ方向に起こされたとき、アーム１２８によって図２中矢印Ｂ方向に押し下げられる。アーム１２８によるスイッチレバー１２２の押し下げ量が所定量に達した時点で、連動パワースイッチＳＷ２がオンされる。第一クランプレバー１２６の立ち上げ操作と連動パワースイッチＳＷ２のオン／オフとを連動させることにより、作業者の作業効率を向上させることができる。
【００２９】
図３は、光源用回路基板５０が回路基板載置台１１０に載置されている状態の光源用回路基板用検査治具１の回路構成を示す図である。図３中破線で囲まれた部分は、光源用回路基板５０上の実装回路を示している。図３においては、説明の便宜上、必要最低限の回路構成のみを示している。
【００３０】
光源用回路基板５０の裏面のランドとプローブピンとが接触されている状態で、プッシュスイッチＳＷ１、連動パワースイッチＳＷ２の双方がオンされてはじめて、電圧供給電源２０から光源用回路基板５０の実装回路及びダミー白色ＬＥＤ１に電力が供給されることとなる。光源用回路基板５０には、パイロット用ＬＥＤ２が実装されている。パイロット用ＬＥＤ２は、例えば光源ユニット本体の電源がオンされているときに常時点灯される緑色のパイロット用ランプである。
【００３１】
光源用回路基板５０には、ダミー白色ＬＥＤ１、パイロット用ＬＥＤ２の各種ＬＥＤを適正な明るさで点灯させるのに適した電流を流すべく、抵抗Ｒ１〜Ｒ４、バイポーラトランジスタＴＲ１、ＴＲ２等の各種電子部品からなる回路が実装されている。作業者は、第一クランプレバー１２６の位置をロックした状態でプッシュスイッチＳＷ１をオンして、ダミー白色ＬＥＤ１、パイロット用ＬＥＤ２の各種ＬＥＤの点灯状態をチェックする。何れのＬＥＤも点灯する場合には、光源用回路基板５０の実装回路に異常は無く、良品と判断される。何れか一方の又は両方のＬＥＤが点灯しない場合には不良品と判断されて、修理工程に回収される。プッシュスイッチＳＷ１をオンするための具体的構成は、次に説明される通りである。
【００３２】
検査治具本体１０は、支持台１３０を有している。支持台１３０は、治具本体基板１０６であって回路基板載置台１１０を挟んで第一クランプレバー１２６と対向する側に取り付けられている。支持台１３０上には、クランプレバー本体１３２が支持されている。クランプレバー本体１３２には、第二クランプレバー１３４及びスイッチ押し部材１３６が取り付けられている。
【００３３】
第二クランプレバー１３４は、初期的には、バネ等の付勢手段（不図示）により、図２中実線で示される位置に付勢されている。スイッチ押し部材１３６は、内視鏡本体を光源ユニットに装着した際にプッシュスイッチＳＷ１を押してオンさせるピンに対応する部品であって、クランプレバー本体１３２に支持されたシャフト１３８の先端に取り付けられている。スイッチ押し部材１３６は、第二クランプレバー１３４が矢印Ｃ方向に起こされると、その起立角度に応じた距離だけ矢印Ｄ方向に直進する。
【００３４】
図４（ａ）、図４（ｂ）は、スイッチ押し部材１３６とプッシュスイッチＳＷ１周辺の光源用回路基板５０の模式的構成を拡大して示す図である。図４（ａ）は、スイッチ押し部材１３６によりプッシュスイッチＳＷ１が押される前の状態を、図４（ｂ）は、スイッチ押し部材１３６によりプッシュスイッチＳＷ１が押された状態を、それぞれ示す。図４（ａ）、図４（ｂ）に示されるように、スイッチ押し部材１３６は、円筒状の鍔部１３６２を有する。鍔部１３６２の先端面１３６２ａには、鍔部１３６２と同心円筒状であって鍔部１３６２より小径な凸部１３６４が形成されている。
【００３５】
光源用回路基板５０の外形状は、例えばルータ等により切削加工されている。光源用回路基板５０の基板端面５０ａには、幅ｗ、深さｄ１を有する凹部が形成されている。幅Ｗは、鍔部１３６２の直径（より正確には、鍔部１３６２の先端面１３６２ａのうち丸面取りを除く平面上の最大径ｄ２）より狭く（小さく）、凸部１３６４の直径ｄ３より広い（大きい）。深さｄ１は、凸部１３６４の高さｈより深い（長い）。
【００３６】
第二クランプレバー１３４が図２中二点鎖線で示される位置から矢印Ｃ方向に更に起こされると、スイッチ押し部材１３６の凸部１３６４がプッシュスイッチＳＷ１のスイッチレバー５２に当て付く。凸部１３６４は、スイッチ押し部材１３６の図４（ａ）中矢印Ｄ方向への直進動作に従いスイッチレバー５２を所定角度以上倒して、プッシュスイッチＳＷ１をオンさせる。スイッチ押し部材１３６は、プッシュスイッチＳＷ１がオンされて矢印Ｄ方向に更に直進されると、図４（ｂ）に示されるように、鍔部１３６２の先端面１３６２ａが基板端面５０ａに当て付き、矢印Ｄ方向への直進動作が規制される。
【００３７】
すなわち、本実施形態によれば、スイッチ押し部材１３６（凸部１３６４）の可動範囲は、先端面１３６２ａを基板端面５０ａで受けることにより、プッシュスイッチＳＷ１本体に到達する直前までに規制されている。そのため、スイッチ押し部材１３６は、例えば作業者が第二クランプレバー１３４を勢いよく操作したり過度の力を入れて操作したりした場合にも、プッシュスイッチＳＷ１本体と機械的に干渉することがない。従って、スイッチ押し部材１３６による検査工程時のプッシュスイッチＳＷ１や光源用回路基板５０の破壊が有効に避けられる。
【００３８】
ところで、スイッチレバー５２の支点からスイッチ押し部材１３６（凸部１３６４）を離すほどスイッチレバー５２と凸部１３６４とが接触する矢印Ｄ方向のストロークが増加して、スイッチ押し部材１３６によるスイッチレバー５２の押し動作の確実性が高まる。そこで、プッシュスイッチＳＷ１は、スイッチレバー５２の支点と凸部１３６４とを離すべく、中心軸ＡＸ１がスイッチ押し部材１３６の中心軸ＡＸ２に対して意図的に距離ｄ４ずれるように配置されている。
【００３９】
また、鍔部１３６２の先端面１３６２ａが光源用回路基板５０の基板端面５０ａに当て付けられた際の衝撃を緩和するため、衝撃吸収手段がシャフト１３８に備えられている。図５（ａ）〜（ｃ）は、シャフト１３８の概略構成を示す図である。
【００４０】
図５（ａ）〜（ｃ）の各図に示されるように、シャフト１３８は、中軸１３８２を有している。中軸１３８２は、一部が同心状の中空軸１３８４に収容されており、中空軸１３８４の内部に配置されたスラスト軸受け（不図示）によりスラスト方向に摺動自在に受けられている。また、中空軸１３８４の内部には、中軸１３８２が受けるスラスト方向の衝撃を吸収する衝撃吸収バネ１３８６が収容されている。中空軸１３８４に対する中軸１３８２の初期位置は、衝撃吸収バネ１３８６の張力により定められている。なお、中軸１３８２と中空軸１３８４には、中空軸１３８４に対する中軸１３８２の脱落を防止する一般的な脱落防止機構（不図示）が設けられていることを言い添えておく。
【００４１】
図５（ｂ）、図５（ｃ）に示されるように、鍔部１３６２の先端面１３６２ａが光源用回路基板５０の基板端面５０ａに当て付けられると、中軸１３８２がスラスト方向であって中空軸１３８４の内部に押し込まれると同時に、衝撃吸収バネ１３８６が衝撃を吸収して縮められる。そのため、例えば作業者が第二クランプレバー１３４を勢いよく操作したり過度の力を入れて操作したりした場合にも、基板端面５０ａに対する過剰な押力（衝撃）は、大幅に緩和されることとなる。なお、衝撃吸収バネ１３８６のばね定数が高すぎる場合は、先端面１３６２ａが基板端面５０ａに当て付いたときに衝撃吸収バネ１３８６があまり縮まない。そのため、基板端面５０ａに対する衝撃が十分に緩和されず、光源用回路基板５０又は検査治具本体１０に大きな機械的負荷がかかる。スイッチレバー５２の確実な押し動作と光源用回路基板５０又は検査治具本体１０に対する機械的負荷の軽減の両方を保障するためには、衝撃吸収バネ１３８６の復元力を、スイッチレバー５２の復帰力以上であって且つ光源用回路基板５０又は検査治具本体１０の強度限界以下に設定するのが望ましい。
【００４２】
以上が本発明の実施形態の説明である。本発明は、上記の構成に限定されるものではなく、本発明の技術的思想の範囲において様々な変形が可能である。例えばスイッチ押し部材１３６は、作業者の作業性や製造時の加工容易性等に配慮して、角面取りされた又は面取り無しの形状等に設計されてもよい。
【００４３】
また、本実施形態に示されるスイッチ押し部材１３６とプッシュスイッチＳＷ１との機械的干渉を防止する構成は、製品に適用してもよい。
【符号の説明】
【００４４】
１  光源用回路基板用検査治具
１０  検査治具本体
５０  光源用回路基板
１３６  スイッチ押し部材
ＳＷ１  プッシュスイッチ
【図１】
2010279617.tif 000003
【図２】
2010279617.tif 000004
【図３】
2010279617.tif 000005
【図４】
2010279617.tif 000006
【図５】
2010279617.tif 000007